(57)【要約】【課題】運動中に使用するのに十分に柔軟かつ快適であり、費用対効果が高くて入手しやすい、保護的及び支持的運動用具及びそれを作る方法を提供する。【解決手段】調節可能あぶみアセンブリ（１３２）が、主本体に結合される。調節可能あぶみアセンブリは、内側あぶみ（１３６）及び外側あぶみ（１５４）を含む。内側あぶみは、着用者の足の足底の下を覆うように構成される。内側あぶみは、第１の内側あぶみストラップ（１３８）及び第２の内側あぶみストラップ（１４０）を含む。第１の内側あぶみストラップは、主本体の第１の側面部分に結合される。第２の内側あぶみストラップは、主本体の第２の側面部分に結合され、第２の内側あぶみストラップは、第１の内側あぶみストラップに切り離し可能に結合する。外側あぶみは、少なくとも部分的に内側あぶみの下を覆う。【選択図】図１Ａ
2022501527.tif 000002
【特許請求の範囲】
【請求項１】
足首ブレースであって、
着用者の足を受け入れるように構成され、第１の側面部分と該第１の側面部分の反対側の第２の側面部分とを有する主本体と、
前記主本体に結合された調節可能あぶみアセンブリと、
を含み、
前記調節可能あぶみアセンブリは、
前記着用者の前記足の足底の下を覆うように構成された内側あぶみであって、
前記主本体の前記第１の側面部分に結合された第１の内側あぶみストラップ、
前記主本体の前記第２の側面部分に結合され、前記第１の内側あぶみストラップに切り離し可能に結合する第２の内側あぶみストラップ、
を含む前記内側あぶみと、
少なくとも部分的に前記内側あぶみの下を覆う外側あぶみと、
を含む、
ことを特徴とする足首ブレース。
【請求項２】
前記第１の内側あぶみストラップは、前記主本体の前記第１の側面部分に固定的に結合された第１の末端部分、及び第２の末端部分を含み、前記第２の内側あぶみストラップは、該主本体の前記第２の側面部分に固定的に結合された第１の末端部分、及び第２の末端部分を含み、該第２の内側あぶみストラップの該第２の末端部分は、該第１の内側あぶみストラップの該第２の末端部分に切り離し可能に結合する、請求項１に記載の足首ブレース。
【請求項３】
前記外側あぶみは、少なくとも部分的に前記第１の内側あぶみストラップ及び前記第２の内側あぶみストラップの両方の下を覆う、請求項１に記載の足首ブレース。
【請求項４】
前記第１の内側あぶみストラップ及び前記第２の内側あぶみストラップは、前記着用者の前記足の足底の下で互いに切り離し可能に結合するように構成される、請求項１に記載の足首ブレース。
【請求項５】
前記第１の内側あぶみストラップによって担持された複数のループと、
前記第２の内側あぶみストラップによって担持された複数のフックであって、前記複数のループに切り離し可能に結合して該第２の内側あぶみストラップを前記第１の内側あぶみストラップに切り離し可能に結合する前記複数のフックと、
を更に含む、請求項１に記載の足首ブレース。
【請求項６】
前記外側あぶみは、前記主本体の前記第１の側面部分に切り離し可能に結合する第１の交差外側あぶみストラップと、該主本体の前記第２の側面部分に切り離し可能に結合する第２の交差外側あぶみストラップとを含む、請求項１に記載の足首ブレース。
【請求項７】
前記主本体に結合された調節可能固定アセンブリを更に含み、
前記調節可能固定アセンブリは、
前記主本体の前記第１の側面部分に結合された第１の固定ストラップと、
前記主本体の前記第２の側面部分に結合され、前記第１の固定ストラップに切り離し可能に結合する第２の固定ストラップと、
を含む、
請求項１に記載の足首ブレース。
【請求項８】
前記調節可能固定アセンブリは、前記主本体の前記第１の側面部分と該主本体の前記第２の側面部分とに結合されたブリッジを更に含み、該ブリッジは、前記着用者の脚と前記第１の固定ストラップ及び前記第２の固定ストラップとの間に配置されるように構成される、請求項７に記載の足首ブレース。
【請求項９】
前記調節可能固定アセンブリは、第１の上側巻き付けストラップを更に含む、請求項７に記載の足首ブレース。
【請求項１０】
前記調節可能固定アセンブリは、前記第１の上側巻き付けストラップに切り離し可能に結合された第２の上側巻き付けストラップを更に含む、請求項９に記載の足首ブレース。
【請求項１１】
着用者の足を受け入れるように構成され、第１の側面部分と該第１の側面部分の反対側の第２の側面部分とを有する主本体と、
前記主本体に結合されて前記着用者の前記足の足底の下を覆うように構成され、
前記主本体の前記第１の側面部分に結合された第１のあぶみストラップ、
前記主本体の前記第２の側面部分に結合されて前記第１のあぶみストラップに切り離し可能に結合する第２のあぶみストラップ、
を含むあぶみと、
前記主本体に結合され、
前記主本体の前記第１の側面部分に結合された第１の固定ストラップ、及び
前記主本体の前記第２の側面部分に結合されて前記第１の固定ストラップに切り離し可能に結合する第２の固定ストラップ、
を含む調節可能固定アセンブリと、
を含むことを特徴とする足首ブレース。
【請求項１２】
前記調節可能固定アセンブリは、前記主本体の前記第１の側面部分と該主本体の前記第２の側面部分とに結合されたブリッジを更に含み、該ブリッジは、前記着用者の脚と前記第１の固定ストラップ及び前記第２の固定ストラップとの間に配置されるように構成される、請求項１１に記載の足首ブレース。
【請求項１３】
前記第１の固定ストラップによって担持された複数のフックと、
前記第２の固定ストラップによって担持された複数のループであって、前記複数のフックに切り離し可能に結合して該第２の固定ストラップを前記第１の固定ストラップに切り離し可能に結合する前記複数のループと、
を更に含む、請求項１１に記載の足首ブレース。
【請求項１４】
第１の内側あぶみストラップは、前記主本体の前記第１の側面部分に固定的に結合された第１の末端部分、及び第２の末端部分を含み、第２の内側あぶみストラップは、該主本体の前記第２の側面部分に固定的に結合された第１の末端部分、及び第２の末端部分を含み、該第２の内側あぶみストラップの該第２の末端部分は、該第１の内側あぶみストラップの該第２の末端部分に切り離し可能に結合する、請求項１１に記載の足首ブレース。
【請求項１５】
第１の内側あぶみストラップ及び第２の内側あぶみストラップは、前記着用者の前記足の前記足底の下で互いに取外し可能に結合するように構成される、請求項１１に記載の足首ブレース。
【請求項１６】
第１の内側あぶみストラップによって担持された複数のフックと、
第２の内側あぶみストラップによって担持された複数のループであって、前記複数のフックに切り離し可能に結合して該第２の内側あぶみストラップを前記第１の内側あぶみストラップに切り離し可能に結合する前記複数のループと、
を更に含む、請求項１１に記載の足首ブレース。
【請求項１７】
前記調節可能固定アセンブリは、上側巻き付けストラップを更に含む、請求項１１に記載の足首ブレース。
【発明の詳細な説明】
【技術分野】
【０００１】
〔関連出願への相互参照〕
この出願は、これによりその全体が引用によって本明細書にそれが教示する全てに対してかつ全ての目的に対して組み込まれている２０１８年９月２７日出願の米国仮特許出願第６２／７３７，４６２号の「３５  Ｕ．Ｓ．Ｃ．§１１９（ｅ）」の下での利益及びそれに対する優先権を主張するものである。
【０００２】
本発明の開示は、一般的に、保護的及び支持的運動用具及びそれを作る方法に関する。本発明の開示は、足首ストラップ及び足首ブレースのような着用者の足首を支持するデバイス及び方法に関する。より具体的には、本発明の開示は、内側／外側足首支持を提供するための足首ステーを有する足首ブレースに関する。
【背景技術】
【０００３】
毎年、競技者及び非競技者の両方の多くの人々が足首を負傷する。一部の場合では、競技者は、足首負傷を防ぐために及び／又は負傷が発生した後で彼らの足首を支持するために粘着テープを彼らの足首に巻き付ける。多くの事例では、競技者及び他者は、彼らの足首を保護する及び／又は回復するために足首ブレースを使用する。
【０００４】
着用者の足又は足首を支持する又は安定化するためのデバイスは、日常使用のために及び／又は身体活動に関わっている時の使用のために着用者によって着用される場合がある。足又は足首に対する損傷は一般的であり、かつ着用者の身体機能及び／又は競技パフォーマンスに影響を与える場合がある。ある一定の着用者に関して、衰弱した又は負傷した足又は足首を支持するために人工構造体を使用することが有益である場合がある。ある一定の剛性構造体は、構造的支持を提供する又は更に別の負傷を防ぐために１日を通して及び／又はスポーツに関わっている時に着用することができる。多くの場合に医師又は医療従事者は、ぴったり合う支持体又は構造体を着用者の四肢の外側に適用して着用者の四肢に対する耐体重支持を提供することができる。
【先行技術文献】
【特許文献】
【０００５】
【特許文献１】米国特許出願第６２／７３７，３５６号明細書
【発明の概要】
【発明が解決しようとする課題】
【０００６】
様々な足首ブレースは公知であるが、公知の足首ブレース性能及び快適性の継続的改善に対する要望が存在する。ストラップ又はブレースのような着用者の足又は足首のためのある一定の支持構造体は、利用可能であり、かつ敏捷性、快適性、又は耐体重機能のようなある一定の利点を提供する場合がある。しかし、ある一定のオプションは、特定の特性に起因して不適切である場合がある。例えば、現在利用可能であるアンダーシャツは、柔軟で快適であると考えられるが、十分な支持を提供しない場合がある。他の事例では、ぴったり合うデバイスは、着用者にとって高価であり、及び／又は広範なカスタマイズを必要とする場合がある。これに加えて、構造的支持を提供するある一定のデバイスは、快適ではなく、又は着用者の四肢による特定レベルの敏捷性又は動きを要求するある一定のスポーツに使用するのに向いていない場合がある。すなわち、適切な耐体重機能を提供するが、運動中に使用するのに十分に柔軟かつ快適であり、同じく費用対効果が高くて入手しやすい着用者の１又は複数の四肢を支持するためのデバイス又は方法に対する必要性が存在する。
【課題を解決するための手段】
【０００７】
第１の例では、本発明の開示による足首ブレースは、着用者の足を受け入れるように構成された主本体を含む。主本体は、第１の側面部分及び第１の側面部分の反対側の第２の側面部分を有する。調節可能あぶみアセンブリが、主本体に結合される。調節可能あぶみアセンブリは、内側あぶみ及び外側あぶみを含む。内側あぶみは、着用者の足の足底の下を覆うように構成される。内側あぶみは、第１の内側あぶみストラップ及び第２の内側あぶみストラップを含む。第１の内側あぶみストラップは、主本体の第１の側面部分に結合される。第２の内側あぶみストラップは、主本体の第２の側面部分に結合され、第２の内側あぶみストラップは、第１の内側あぶみストラップに切り離し可能に結合する。外側あぶみは、少なくとも部分的に内側あぶみの下を覆う。
【０００８】
第２の例では、第１の例の足首ブレースは、第１の内側あぶみストラップが、主本体の第１の側面部分に固定的に結合された第１の末端部分、及び第２の末端部分を含み、第２の内側あぶみストラップが、主本体の第２の側面部分に固定的に結合された第１の末端部分、及び第２の末端部分を含み、第２の内側あぶみストラップの第２の末端部分が、第１の内側あぶみストラップの第２の末端部分に切り離し可能に結合する。
【０００９】
第３の例では、第１の例又は第２の例の足首ブレースは、外側あぶみが、少なくとも部分的に第１の内側あぶみストラップ及び第２の内側あぶみストラップの両方の下を覆う。
【００１０】
第４の例では、第１の例から第３の例の足首ブレースは、第１の内側あぶみストラップ及び第２の内側あぶみストラップが、着用者の足の足底の下で互いに切り離し可能に結合するように構成される。
【００１１】
第５の例では、第１の例から第４の例の足首ブレースは、第１の内側あぶみストラップによって担持された複数のループと、第２の内側あぶみストラップによって担持された複数のフックとを更に含み、複数のフックが、複数のループに切り離し可能に結合して第２の内側あぶみストラップを第１の内側あぶみストラップに切り離し可能に結合する。
【００１２】
第６の例では、第１の例から第５の例の足首ブレースは、外側あぶみが、主本体の第１の側面部分に切り離し可能に結合する第１の交差外側あぶみストラップと、主本体の第２の側面部分に切り離し可能に結合する第２の交差外側あぶみストラップとを含む。
【００１３】
第７の例では、第１の例から第６の例の足首ブレースは、主本体に結合された調節可能固定アセンブリを更に含み、調節可能固定アセンブリは、主本体の第１の側面部分に結合された第１の固定ストラップと、主本体の第２の側面部分に結合されて第１の固定ストラップに切り離し可能に結合する第２の固定ストラップとを含む。
【００１４】
第８の例では、第１の例から第７の例の足首ブレースは、調節可能固定アセンブリが、主本体の第１の側面部分と主本体の第２の側面部分とに結合されたブリッジを更に含み、ブリッジが、着用者の脚と第１の固定ストラップ及び第２の固定ストラップとの間に配置されるように構成される。
【００１５】
第９の例では、第１の例から第８の例の足首ブレースは、調節可能固定アセンブリが、第１の上側巻き付けストラップを更に含む。
【００１６】
第１０の例では、第１の例から第９の例の足首ブレースは、調節可能固定アセンブリが、第１の上側巻き付けストラップに切り離し可能に結合された第２の上側巻き付けストラップを更に含む。
【００１７】
第１１の例では、本発明の開示による足首ブレースは、着用者の足を受け入れるように構成された主本体を含む。主本体は、第１の側面部分と第１の側面部分の反対側の第２の側面部分とを有する。足首ブレースは、主本体に結合されて着用者の足の足底の下を覆うように構成されたあぶみを更に含む。あぶみは、主本体の第１の側面部分に結合された第１のあぶみストラップと、主本体の第２の側面部分に結合された第２のあぶみストラップとを含む。第２のあぶみストラップは、第１のあぶみストラップに切り離し可能に結合する。調節可能固定アセンブリが、主本体に結合される。調節可能固定アセンブリは、第１の固定ストラップ及び第２の固定ストラップを含む。第１の固定ストラップは、主本体の第１の側面部分に結合され、第２の固定ストラップは、主本体の第２の側面部分に結合される。第２の固定ストラップは、第１の固定ストラップに切り離し可能に結合する。
【００１８】
第１２の例では、第１１の例の足首ブレースは、調節可能固定アセンブリが、主本体の第１の側面部分と主本体の第２の側面部分とに結合されたブリッジを更に含む。ブリッジは、着用者の脚と第１の固定ストラップ及び第２の固定ストラップとの間に配置されるように構成される。
【００１９】
第１３の例では、第１１の例又は第１２の例の足首ブレースは、第１の固定ストラップによって担持された複数のフックと第２の固定ストラップによって担持された複数のループとを更に含む。複数のループは、複数のフックに切り離し可能に結合して第２の固定ストラップを第１の固定ストラップに切り離し可能に結合する。
【００２０】
第１４の例では、第１１の例から第１３の例の足首ブレースは、第１の内側あぶみストラップが、主本体の第１の側面部分に固定的に結合された第１の末端部分、及び第２の末端部分を含み、第２の内側あぶみストラップが、主本体の第２の側面部分に固定的に結合された第１の末端部分、及び第２の末端部分を含み、第２の内側あぶみストラップの第２の末端部分が、第１の内側あぶみストラップの第２の末端部分に切り離し可能に結合する。
【００２１】
第１５の例では、第１１の例から第１４の例の足首ブレースは、第１の内側あぶみストラップ及び第２の内側あぶみストラップが、着用者の足の足底の下で互いに取外し可能に結合するように構成される。
【００２２】
第１６の例では、第１１の例から第１５の例の足首ブレースは、第１の内側あぶみストラップによって担持された複数のフックと第２の内側あぶみストラップによって担持された複数のループとを更に含み、複数のループは、複数のフックに切り離し可能に結合して第２の内側あぶみストラップを第１の内側あぶみストラップに切り離し可能に結合する。
【００２３】
第１７の例では、第１１の例から第１６の例の足首ブレースは、調節可能固定アセンブリが、上側巻き付けストラップを更に含む。
【００２４】
複数の実施形態を開示するが、本発明の更に他の実施形態が本発明の例示的実施形態を図示して説明する以下の詳細説明から当業者には明らかになるであろう。従って、図面及び詳細説明は、制限ではなく本質的に例示であるとして見なされるものとする。
【図面の簡単な説明】
【００２５】
【図１Ａ】着用者の足上に着用されている本発明の開示の実施形態による足首ブレースの側面斜視図である。
【図１Ｂ】着用者の足上に着用されている図１Ａの足首ブレースの前面斜視図である。
【図１Ｃ】着用者の足に固定されている図１Ａの足首ブレースの側面斜視図である。
【図１Ｄ】着用者の足に固定されている図１Ａの足首ブレースの別の側面斜視図である。
【図１Ｅ】着用者の足に固定されている図１Ａの足首ブレースの別の側面斜視図である。
【図１Ｆ】着用者の足に固定されている図１Ａの足首ブレースの更に別の側面斜視図である。
【図１Ｇ】着用者の足に固定されている図１Ａの足首ブレースの前面斜視図である。
【図２Ａ】着用者の足上に着用されている本発明の開示の実施形態による足首ブレースの側面斜視図である。
【図２Ｂ】着用者の足上に着用されている図２Ａの足首ブレースの前面斜視図である。
【図２Ｃ】着用者の足に固定されている図２Ａの足首ブレースの側面斜視図である。
【図２Ｄ】着用者の足に固定されている図２Ａの足首ブレースの別の側面斜視図である。
【図２Ｅ】着用者の足に固定されている図２Ａの足首ブレースの上面斜視図である。
【図２Ｆ】着用者の足に固定されている図２Ａの足首ブレースの別の側面斜視図である。
【図２Ｇ】着用者の足に固定されている図２Ａの足首ブレースの別の側面斜視図である。
【図２Ｈ】着用者の足に固定されている図２Ａの足首ブレースの更に別の側面斜視図である。
【００２６】
図面は、本発明の例示的実施形態の理解を容易にすることを意図分与しており、かつ必ずしも縮尺通りではないことを理解しなければならない。
【発明を実施するための形態】
【００２７】
以下の説明は、特定の実施形態を示す添付図面を参照する。特定の実施形態を図示して説明するが、追加の又は代替の特徴が他の実施形態では使用されていることは理解されるものとする。以下の詳細説明は限定的な意味に取るべきではなく、主張する本発明の範囲は、特許請求の範囲及びその均等物によって定められる。
【００２８】
同じ参照番号は、いくつかの作図を通して一貫して同じ構造的構成要素、要素、部分、又は面を識別することを意図分与しており、従って、構成要素、要素、部分、又は面は、詳細説明が不可欠な部分である記載する明細書全体によって更に説明又は解説することができることは理解されるものとする。他に示さない限り、図面は、明細書と共に読まれることを意図分与しており（例えば、クロスハッチング、部品の配置、均衡、程度、その他）、かつ記載する説明の一部分と見なされるものとする。
【００２９】
本明細書に使用される時に、「内側」は、着用者の身体の中央、中心線、又は正中面に向かう場所を一般的に指す。本明細書に使用される時に、「外側」は、着用者の身体の側部又は外側に向かう場所を一般的に指す。すなわち、着用者の足の内側は、身体の中心及び反対側の足にほぼ向けて内向きに面する側である。着用者の足の外側は、着用者の身体及び反対側の足からほぼ離れるように外向きに面する側である。すなわち、着用者の右足の内側は、その足の左側であり、着用者の右足の外側は、その足の右側である。着用者の左足の内側は、その足の右側であり、着用者の左足の外側は、その足の左側である。本明細書に使用される時に、「前」は、着用者の身体の前部に向かう場所を一般的に指す。本明細書に使用される時に、「後」は、着用者の身体の後部に向かう場所を一般的に指す。本明細書に使用される時に、「上」は、着用者の身体の上部に向かう場所を一般的に指す。本明細書に使用される時に、「下」は、着用者の身体の底部の近くの場所を一般的に指す。本明細書に使用される時に、「サジタル」は、着用者の身体を左側と右側に分割する垂直平面又は着用者の足を内側と横断側に分割する垂直平面を一般的に指す。本明細書に使用される時に、「コロナ」は、着用者の身体を前側と後側に分割する垂直平面又は着用者の足を前側と後側に分割する垂直平面を一般的に指す。
【００３０】
図１Ａ及び図１Ｂは、着用者の足１０上に着用されている本発明の開示の実施形態による足首ブレース１００を示している。図１Ｃ−１Ｇは、着用者の足１０に固定されている足首ブレース１００を示している。足首ブレース１００は、足首１２を含む着用者の足１０を受け入れるように構成された主本体１０２を含む。主本体１０２は、上面部分１０４、第１の側面部分１０８、第２の側面部分１１０、前面部分１１２、及び後面部分１１４を含む。一部の実施形態では、上面部分１０４は、一般的に、着用された時に着用者のふくらはぎ１８上にかつそれに対して位置付けられる。一部の実施形態では、上面部分１０４は、一般的に、着用された時に着用者のふくらはぎ１８上にかつそれに対して位置付けられる。一部の実施形態では、第１の側面部分１０８は、一般的に、着用された時に着用者の足１０の外側面１４上にかつそれに対して位置付けられる（すなわち、第１の側面部分１０８は、着用者の足１０の外側面１４上に配置されるように構成された外側面とすることができる）。一部の実施形態では、第２の側面部分１１０は、一般的に、着用された時に着用者の足１０の内側面１６上にかつそれに対して位置付けられる（すなわち、第２の側面部分１１０は、着用者の足１０の内側面１６上に配置されるように構成された内側面とすることができる）。一部の実施形態では、前面部分１１２は、一般的に、着用された時に着用者のふくらはぎ１８の前面上にかつそれに対して位置付けられる。一部の実施形態では、後面部分１１４は、一般的に、着用された時にふくらはぎ１８の後面上にかつそれに対して位置付けられる。一部の実施形態では、足首ブレース１００は、着用者の右足又は左足上に選択的に着用可能であり、及び／又は足首ブレース１００は、着用者の足１０を二等分するサジタル平面にわたって対称である。
【００３１】
主本体１０２の上面部分１０４は、着用された時に着用者のふくらはぎ１８がそれを通って延びる上面開口部１１６を定める。主本体１０２の底面部分１０６は、着用された時に足１０の中足２０及びかかと２２がそれを通って延びる底面開口部１１８を定める。
【００３２】
主本体１０２は、１又は２以上の層（図示せず）で形成することができ、その各々は、１又は２以上の材料で形成することができる。すなわち、一部の実施形態では、主本体１０２は単層で形成される。一部の実施形態では、主本体１０２は複数の層から形成される。一部の実施形態では、主本体１０２の複数の層は、縫合、接着剤、及びその組合せなどを通じて互いに結合することができる。一部の実施形態では、主本体１０２の１又は２以上の層は、弾力的であるが着用者の足１０を支持する弾性があり、かつ着用者が拘束なく移動することを可能にする１又は２以上の材料から形成される。一部の実施形態では、主本体１０２の１又は２以上の層は、織物、ポリマー、及びその複合材などで形成される。例えば、主本体１０２の１又は２以上の層は、ネオプレン、ナイロン、ポリエステル、ゴム、及びラテックスで形成することができる。
【００３３】
具体的に図１Ｂを参照すると、足首ブレース１００の主本体１０２は、第１の足首ステー１２０とも呼ばれる第１の足首支持体１２０、及び第２の足首ステー１２２とも呼ばれる第２の足首支持体１２２を担持する。一部の実施形態では、第１の足首ステー１２０は、主本体１０２の外側部分１０８に配置される（すなわち、第１の足首ステー１２０は、着用者の足１０の外側面１４上に配置されるように構成された外側足首ステーとすることができる）。一部の実施形態では、第２の足首ステー１２２は、主本体１０２の内側部分１１０に配置される（すなわち、第２の足首ステー１２２は、着用者の足１０の内側面１６上に配置されるように構成された内側足首ステーとすることができる）。一部の実施形態では、第１の足首ステー１２０及び第２の足首ステー１２２は、主本体１０２の層の間に配置され、かつ接着剤（図示せず）又は第１の足首ステー１２０及び第２の足首ステー１２２の周囲に隣接した縫合（図示せず）などを通じて主本体１０２の１又は２以上の層に結合される。
【００３４】
足首ステー１２０、１２２は、モノリシック構成要素であるが、他の実施形態では、足首ステー１２０、１２２は、例えば接着剤又は超音波溶接などを通じて接合された別々のセクションとして形成することができる。足首ステー１２０、１２２は、実質的に均一な厚み（例えば、約１．５ｍｍ）及び幅を有するが、他の実施形態では、足首ステー１２０、１２２は、不均一な厚み及び／又は幅を有する場合がある。一部の実施形態では、足首ステー１２０、１２２は、ポリマー（例えば、ポリエチレン）及び複合材（例えば、金属補強ポリエチレン）などで形成される。
【００３５】
具体的に図１Ａを参照すると、第１の足首ステー１２０は、例示的に、細長前部分１２４、弓形下部分１２６、及び細長後部分１２８を含む。前部分１２４は、着用者の足首１２に対して前方に配置されるように構成される。下部分１２６は、着用者の足首１２に対して下方に配置されるように構成される。後部分１２８は、着用者の足首１２に対して後方に配置されるように構成される。第２の足首ステー１２２は、第１の足首ステー１２０と同じ全体形状を有することができる。他の実施形態では、第１の足首ステー１２０及び／又は第２の足首ステー１２２は、異なる形態を取ることができる。例えば、第１の足首ステー１２０及び／又は第２の足首ステー１２２は、これによりその開示が引用によって組み込まれる「足首ブレースデバイス、システム、及び方法」という名称の２０１８年９月２７日出願の米国特許出願第６２／７３７，３５６号明細書に説明及び／又は図示された足首ステーのうちのいずれかの形状を有することができる。他の実施形態では、足首ブレース１００は、いずれの足首ステーも欠く場合がある。
【００３６】
再度全体的に図１Ａ−１Ｇを参照すると、足首ブレース１００の主本体１０２はまた、調節可能あぶみアセンブリ１３２と調節可能固定アセンブリ１３４とを含むストラップアセンブリ１３０を担持する。調節可能あぶみアセンブリ１３２は、主本体１０２に結合され、かつ後方に延びて着用者の足底２４の下を覆う。調節可能あぶみアセンブリ１３２は、足首ブレース１００を着用者の足１０にフィットさせること及び足首ブレース１００を通じて様々な程度の足支持を提供することを容易にする。
【００３７】
調節可能あぶみアセンブリ１３２は、着用者の足底２４の下を覆うように構成された内側あぶみ１３６を含む。内側あぶみ１３６は、織物、ポリマー、及びその複合材などで形成することができる第１の内側あぶみストラップ１３８及び及び第２の内側あぶみストラップ１４０を含む。第１の内側あぶみストラップ１３８は、主本体１０２の第１の側面部分１０８に結合され、第２の内側あぶみストラップ１４０は、主本体１０２の第２の側面部分１１０に結合される。一部の実施形態では、第１の内側あぶみストラップ１３８は、主本体１０２に固定的に結合された（例えば、縫合を通じて、図示せず）第１の又は上の末端部分１４２を含む。第１の内側あぶみストラップ１３８は、第２の又は下の末端部分１４４まで延びる。第２の内側あぶみストラップ１４０は、主本体１０２に固定的に結合された（例えば、縫合を通じて、図示せず）第１の又は上の末端部分１４６を含む。第２の内側あぶみストラップ１４０は、第２の又は下の末端部分１４８まで延び、第１の内側あぶみストラップ１３８及び第２の内側あぶみストラップ１４０の第２の末端部分１４４、１４８は、互いに切り離し可能に結合する。一部の実施形態ではかつ図示のように、第１の内側あぶみストラップ１３８及び第２の内側あぶみストラップ１４０の第２の末端部分１４４、１４８は、フック及びループファスナを通じて互いに切り離し可能に結合する（例えば、第１の内側あぶみストラップ１３８は、複数のフック１５０を担持し（図１Ｄを参照）、第２の内側あぶみストラップ１４０は、複数のループ１５２を担持する）。一部の実施形態ではかつ図示のように、第１の内側あぶみストラップ１３８及び第２の内側あぶみストラップ１４０の第２の末端部分１４４、１４８は、着用者の足１０の足底２４の下で互いに切り離し可能に結合するように構成される。
【００３８】
他の実施形態では、第１の内側あぶみストラップ１３８及び／又は第２の内側あぶみストラップ１４０は、他の形態を取る又は他の特徴を有することができる。例えば、第１の内側あぶみストラップ１３８及び第２の内側あぶみストラップ１４０の第２の末端部分１４４、１４８は、クラスプ、バックル、レース、又はクランプなどを通じてのような他の方式で互いに切り離し可能に結合することができる。別の例として、第１の内側あぶみストラップ１３８及び第２の内側あぶみストラップ１４０の第２の末端部分１４４、１４８は、足１０の内側面１６又は外側面１４上に互いに切り離し可能に結合することができる。別の例として、第１の内側あぶみストラップ１３８及び／又は第２の内側あぶみストラップ１４０は、主本体１０２の１又は２以上の層に一体的に結合される又はそれとモノリシックに形成することができる。更に別の例として、第１の内側あぶみストラップ１３８及び／又は第２の内側あぶみストラップ１４０は、主本体１０２に切り離し可能に結合することができる（例えば、フック及びループファスナ、クラスプ、バックル、レース、又はクランプなどを通じて）。
【００３９】
調節可能あぶみアセンブリ１３２は、少なくとも部分的に内側あぶみ１３６の下を覆う外側あぶみ１５４を更に含む。一部の実施形態ではかつ図示のように、外側あぶみ１５４は、少なくとも部分的に第１の内側あぶみストラップ１３８及び第２の内側あぶみストラップ１４０の両方の下を覆う。外側あぶみ１５４は、織物、ポリマー、及びその複合材などで形成することができる第１の外側あぶみストラップ１５６及び第２の外側あぶみストラップ１５８を含む。一部の実施形態では、第１の外側あぶみストラップ１５６及び第２の外側あぶみストラップ１５８は、互いに一体的に結合される又はモノリシックに形成され、かつ第１の内側あぶみストラップ１３８又は第２の内側あぶみストラップ１４０に固定的に結合される（例えば、縫合を通じて、図示せず）。第１の外側あぶみストラップ１５６は、内側あぶみ１３６から上方に主本体１０２の第１の側面部分１０８に沿って延びる。第１の外側あぶみストラップ１５６は、主本体１０２の第１の側面部分１０８に切り離し可能に結合する（例えば、フック及びループファスナを通じて、より具体的には、第１の外側あぶみストラップ１５６によって担持された複数のフック１６２（図１Ｅを参照）及び主本体１０２によって担持された複数のループ１６４を通じて）上末端部分１６０を含む。第２の外側あぶみストラップ１５８は、内側あぶみ１３６から主本体１０２の第２の側面部分１１０に沿って上方に延びる。第２の外側あぶみストラップ１５８は、主本体１０２の第２の側面部分１１０に切り離し可能に結合する（例えば、フック及びループファスナを通じて、より具体的には、第２の外側あぶみストラップ１５８によって担持された複数のフック１６８（図１Ｆを参照）及び主本体１０２によって担持された複数のループ１６４を通じて）上末端部分１６６を含む。
【００４０】
他の実施形態では、第１の外側あぶみストラップ１５６及び／又は第２の外側あぶみストラップ１５８は、他の形態を取る又は他の特徴を有することができる。例えば、第１の外側あぶみストラップ１５６及び第２の外側あぶみストラップ１５８は、互いに一体的に結合されない場合があり、第１の外側あぶみストラップ１５６及び第２の外側あぶみストラップ１５８は、内側あぶみ１３６に固定的に又は切り離し可能に結合される場合がある。別の例として、第１の外側あぶみストラップ１５６及び第２の外側あぶみストラップ１５８の上末端部分１６０、１６６は、クラスプ、バックル、レース、又はクランプなどを通じてのような他の方式で主本体１０２に切り離し可能に結合することができる。
【００４１】
簡単に上述したように、ストラップアセンブリ１３０は、調節可能固定アセンブリ１３４を更に含む。調節可能固定アセンブリ１３４は、上面部分１０４に近接して主本体１０２に結合される。調節可能固定アセンブリ１３４は、足首ブレース１００を着用者の足１０及びふくらはぎ１８にフィットさせることを容易にする。
【００４２】
調節可能固定アセンブリ１３４は、主本体１０２の後面部分１１４に配置されたブリッジ１７０を含む。ブリッジ１７０は、主本体１０２の第１の側面部分１０８及び主本体１０２の第２の側面部分１１０の両方に結合される。一部の実施形態では、ブリッジ１７０は、主本体１０２の第１の側面部分１０８及び主本体１０２の第２の側面部分１１０の両方に固定的に結合される（例えば、縫合を通じて）。他の実施形態では、ブリッジ１７０は、主本体１０２の第１の側面部分１０８及び／又は主本体１０２の第２の側面部分１１０に切り離し可能に結合され、又は主本体１０２の第１の側面部分１０８及び／又は主本体１０２の第２の側面部分１１０に一体的に結合される。ブリッジ１７０は、織物、ポリマー、及びその複合材などで形成することができる。
【００４３】
調節可能固定アセンブリ１３４は、織物、ポリマー、及びその複合材などで形成することができる第１の固定ストラップ１７２及び第２の固定ストラップ１７４を更に含む。第１の固定ストラップ１７２及び第２の固定ストラップ１７４は、ブリッジ１７０に対して後方に配置される。別の言い方をすれば、ブリッジ１７０は、着用者の脚と第１の固定ストラップ１７２及び第２の固定ストラップ１７４との間に配置されるように構成される。第１の固定ストラップ１７２は、主本体１０２の第１の側面部分１０８に結合され、第２の固定ストラップ１７４は、主本体１０２の第２の側面部分１１０に結合される。一部の実施形態では、第１の固定ストラップ１７２は、主本体１０２に固定的に結合された（例えば、縫合を通じて、図示せず）第１の又は外側の末端部分１７６を含む。第１の固定ストラップ１７２は、第２の又は内側の末端部分１７８を含む。第２の固定ストラップ１７４は、主本体１０２に固定的に結合された（例えば、縫合を通じて、図示せず）第１の又は内側の末端部分１８０を含む（図１Ｃを参照）。第２の固定ストラップ１７４は、第２の又は外側の末端部分１８２まで延び、第１の固定ストラップ１７２及び第２の固定ストラップ１７４の第２の末端部分１７８、１８２は、互いに切り離し可能に結合する。一部の実施形態ではかつ図示のように、第１の固定ストラップ１７２及び第２の固定ストラップ１７４の第２の末端部分１７８、１８２は、フック及びループファスナを通じて互いに切り離し可能に結合する（例えば、第１の固定ストラップ１７２は、複数のフック１８４を担持し（図１Ｃを参照）、第２の固定ストラップ１７４は、複数のループ１８６を担持する）。
【００４４】
他の実施形態では、第１の固定ストラップ１７２及び／又は第２の固定ストラップ１７４は、他の形態を取る又は他の特徴を有することができる。例えば、第１の固定ストラップ１７２及び第２の固定ストラップ１７４の第２の末端部分１７８、１８２は、クラスプ、バックル、レース、又はクランプなどを通じてのような他の方式で互いに切り離し可能に結合することができる。別の例として、第１の固定ストラップ１７２及び／又は第２の固定ストラップ１７４は、主本体１０２の１又は２以上の層に一体的に結合される又はそれとモノリシックに形成することができる。別の例として、第１の固定ストラップ１７２及び／又は第２の固定ストラップ１７４は、主本体１０２に切り離し可能に結合することができる（例えば、フック及びループファスナ、クラスプ、バックル、レース、又はクランプなどを通じて）。更に別の例として、第１の固定ストラップ１７２、第２の固定ストラップ１７４、及びブリッジ１７０は、主本体１０２の前面部分１１２上に配置される場合がある。
【００４５】
調節可能固定アセンブリ１３４は、足首ブレース１００を着用者の足１０に固定するために第１の上側巻き付けストラップ１８８及び第２の上側巻き付けストラップ１９０を更に含む。第１の上側巻き付けストラップ１８８及び第２の上側巻き付けストラップ１９０は、上面開口部１１６に隣接する主本体１０２の周りに第１の固定ストラップ１７２から延び、第１の上側巻き付けストラップ１８８は、第２の上側巻き付けストラップ１９０の上を覆い、かつそれに切り離し可能に結合される。一部の実施形態では、第１の上側巻き付けストラップ１８８及び第２の上側巻き付けストラップ１９０は、互いにモノリシックに形成される。一部の実施形態では、第１の上側巻き付けストラップ１８８及び第２の上側巻き付けストラップ１９０は、第１の固定ストラップ１７２に固定的に結合する（例えば、縫合を通じて、図示せず）。一部の実施形態ではかつ図示のように、第１の上側巻き付けストラップ１８８及び第２の上側巻き付けストラップ１９０は、フック及びループファスナを通じて互いに切り離し可能に結合する（例えばかつ図１Ｇに示すように、第１の上側巻き付けストラップ１８８が、複数のフック１９２を担持し、第２の上側巻き付けストラップ１９０が、複数のループ１９４を担持する）。他の実施形態では、第１の上側巻き付けストラップ１８８及び第２の上側巻き付けストラップ１９０は、クラスプ、バックル、レース、又はクランプなどを通じてのような他の方式で互いに切り離し可能に結合する。
【００４６】
本発明の開示の一部の実施形態による足首ブレースは、上述の足首ブレース１００よりも追加した又は異なる特徴、構成要素、形状、寸法、及び／又は特性を含むことができる。例えば、一部の実施形態では、足首ブレースのストラップアセンブリは、異なる構成要素及び／又は特徴を含む。そのような足首ブレースの例示的実施形態を以下に説明する。
【００４７】
図２Ａ及び２Ｂは、着用者の足１０上に着用されている本発明の開示の別の実施形態による足首ブレース２００を示している。図２Ｃ−２Ｇは、着用者の足１０に固定されている足首ブレース２００を示している。足首ブレース２００は、足首１２を含む着用者の足１０を受け入れるように構成された主本体２０２を含む。主本体２０２は、一般的に、主本体１０２と比較して類似の構成要素及び特徴を含み、図面では、類似の構成要素及び特徴は、１００だけ増加した同じ参照番号によって表されている（すなわち、主本体２０２は、上面部分２０４、底面部分２０６、第１の側面部分２０８、第２の側面部分２１０、前面部分２１２、及び後面部分２１４等々を含む）。足首ブレース２００の主本体２０２はまた、調節可能あぶみアセンブリ２３２及び調節可能固定アセンブリ２３４を含むストラップアセンブリ２３０を担持する。調節可能固定アセンブリ２３４は、一般的に、調節可能固定アセンブリ２３４と比較して類似の構成要素及び特徴を含み、図面では、類似の構成要素及び特徴は、１００だけ増加した同じ参照番号によって表されている（すなわち、調節可能固定アセンブリ２３４は、第１の固定ストラップ２７２及び第２の固定ストラップ２７４等々を含む）。調節可能あぶみアセンブリ２３２は、一般的に、調節可能あぶみアセンブリ２３２と比較して類似の構成要素及び特徴を含み、図面では、類似の構成要素及び特徴は、１００だけ増加した同じ参照番号によって表されている（すなわち、調節可能あぶみアセンブリ２３２は、第１の内側あぶみストラップ２３８及び第２の内側あぶみストラップ２４０等々を含む）。しかし、調節可能あぶみアセンブリ２３２は、それぞれ第１の外側あぶみストラップ１５６及び第２の外側あぶみストラップ１５８の代わりに、交差する第１及び第２の交差外側あぶみストラップ２９３、２９５（第１の交差外側あぶみストラップ２９３及び第２の交差外側あぶみストラップ２９５とも呼ばれる）を有する外側あぶみ２５４を含む。
【００４８】
第１の交差外側あぶみストラップ２９３及び第２の交差外側あぶみストラップ２９５は、織物、ポリマー、及びその複合材などで形成することができる。第１の交差外側あぶみストラップ２９３及び第２の交差外側あぶみストラップ２９５は、主本体２０２の前面部分２１２に固定的に結合する（例えば、縫合を通じて、図示せず）。第１の交差外側あぶみストラップ２９３及び第２の交差外側あぶみストラップ２９５は、主本体２０２の前面部分２１２から延びてその上で互いに交差し、それぞれ主本体２０２の第２の側面部分２１０及び第１の側面部分２０８に沿って下方に延び、足底２４の下に延びて再度互いに交差し、かつ次にそれぞれ主本体２０２の第１の側面部分２０８及び第２の側面部分２１０に沿ってそれぞれ上末端部分２９６、２９７まで上方に延びる。上端２９６、２９７部分は、主本体２０２に切り離し可能に結合する（例えば、フック及びループファスナを通じて、より具体的には、それぞれ第１の交差外側あぶみストラップ２９３及び第２の交差外側あぶみストラップ２９５によって担持された複数のフック２９８、２９９（図２Ｆ及び２Ｇを参照）及び主本体２０２によって担持された複数のループ２６４を通じて）。
【００４９】
他の実施形態では、第１の交差外側あぶみストラップ２９３及び／又は第２の交差外側あぶみストラップ２９５は、他の形態を取る又は他の特徴を有することができる。例えば、第１の交差外側あぶみストラップ２９３及び第２の交差外側あぶみストラップ２９５は、前面部分２１２で主本体２０２に切り離し可能に結合することができる。別の例として、第１の交差外側あぶみストラップ２９３及び第２の交差外側あぶみストラップ２９５の上末端部分２９６、２９７は、クラスプ、バックル、レース、又はクランプなどを通じてのような他の方式で主本体２０２に切り離し可能に結合することができる。
【００５０】
議論した例示的実施形態に対して本発明の範囲から逸脱することなく異なる他の修正及び追加を行うことができる。例えば、上述の実施形態は特定の特徴を参照するが、本発明の範囲は、特徴の異なる組合せを有する実施形態及び上述の特徴の全てを含まない実施形態も含む。
【符号の説明】
【００５１】
１４  外側面
１６  内側面
１００  足首ブレース
１０２  主本体
１１６  上面開口部
１２０  第１の足首ステー
【図１Ａ】
2022501527.tif 000003
【図１Ｂ】
2022501527.tif 000004
【図１Ｃ】
2022501527.tif 000005
【図１Ｄ】
2022501527.tif 000006
【図１Ｅ】
2022501527.tif 000007
【図１Ｆ】
2022501527.tif 000008
【図１Ｇ】
2022501527.tif 000009
【図２Ａ】
2022501527.tif 000010
【図２Ｂ】
2022501527.tif 000011
【図２Ｃ】
2022501527.tif 000012
【図２Ｄ】
2022501527.tif 000013
【図２Ｅ】
2022501527.tif 000014
【図２Ｆ】
2022501527.tif 000015
【図２Ｇ】
2022501527.tif 000016
【図２Ｈ】
2022501527.tif 000017
【国際調査報告】
2022501527.tif 000018
2022501527.tif 000019
2022501527.tif 000020
2022501527.tif 000021